(57)【要約】【課題】真珠の高級感のある外観を損なうことなく、磁気による健康増進効果を付加することができる真珠装身具を提供する。【解決手段】真珠の珠１に形成した貫通孔２に紐３を通すことによって、複数の真珠の珠１が数珠つなぎに連結された真珠装身具に関する。複数の真珠の珠１のうち少なくとも一部の真珠の珠１の貫通孔２内にマグネット４が装着されていることを特徴とする。マグネット４の磁気によって、真珠装身具に健康増進効果を付与することができるものであり、しかもマグネット４が外観として露出することがなく、真珠の高級感のある外観を損なうことがない。【選択図】図１
2018061547.tif 000002
【特許請求の範囲】
【請求項１】
真珠の珠に形成した貫通孔に紐を通すことによって、複数の真珠の珠が数珠つなぎに連結された真珠装身具であって、
上記複数の真珠の珠のうち少なくとも一部の真珠の珠の貫通孔内にマグネットが装着されていることを特徴とする真珠装身具。
【請求項２】
上記マグネットは筒状に形成され、上記紐は筒状のマグネット内に挿通されていることを特徴とする請求項１に記載の真珠装身具。
【請求項３】
上記真珠の珠の表面にＤＬＣ皮膜が被覆されていることを特徴とする請求項１又は２に記載の真珠装身具。
【請求項４】
上記ＤＬＣ皮膜の膜厚は５０〜１５０ｎｍであることを特徴とする請求項３に記載の真珠装身具。
【発明の詳細な説明】
【技術分野】
【０００１】
本発明は、真珠を数珠つなぎに連結して形成される、ネックレス、ブレスレット、アンクレット、数珠、時計バンドなどの真珠装身具に関するものである。
【背景技術】
【０００２】
真珠はその美麗な色や光沢により、宝石と同様に高級な装身具の材料として古くから愛されている。そして真珠を数珠つなぎに連結したリング状の装身具は、ネックレス、ブレスレット、アンクレット、数珠、時計バンドなどとして使用されており、高級感のある装飾効果で身体の首、手首、足首などを飾ることができるものとして、特に女性に好まれている。
【０００３】
一方、磁気ネックレスや磁気ブレスレットなどのように、磁気により健康を増進できるようにした装身具が従来から提供されている。このような磁気装身具は、例えば永久磁石などの磁性体からなるマグネットを数珠様に連結して形成されているものであり、首や手首などに着けることによって、マグネットから出る磁力による磁界の作用で、身体の血行を促進してこりや痛みを解消するなど健康を増進することができるものである（例えば特許文献１参照）。
【先行技術文献】
【特許文献】
【０００４】
【特許文献１】特開平９−８４６１２号公報
【発明の概要】
【発明が解決しようとする課題】
【０００５】
真珠は真珠貝など貝の体内で生成されるものであり、貝殻と同様にカルシウムを主成分とするものである。一方、磁気装身具は磁力を有する磁性体で形成する必要があるが、カルシウムを主成分とする真珠は磁性体ではない。
【０００６】
従って、真珠の装身具は上記のように高級感のある装飾効果で身体の首、手首、足首などを飾ることができるが、磁性体ではない真珠の装身具においては、磁気ネックレスや磁気ブレスレットなどのような磁気による健康増進効果を期待することはできないものであった。
【０００７】
本発明は上記の点に鑑みてなされたものであり、真珠の高級感のある外観を損なうことなく、磁気による健康増進効果を付加することができる真珠装身具を提供することを目的とするものである。
【課題を解決するための手段】
【０００８】
本発明に係る真珠装身具は、真珠の珠１に形成した貫通孔２に紐３を通すことによって、複数の真珠の珠１が数珠つなぎに連結された真珠装身具であって、上記複数の真珠の珠１のうち少なくとも一部の真珠の珠１の貫通孔２内にマグネット４が装着されていることを特徴とするものである。
【０００９】
真珠の珠１に装着したマグネット４の磁気によって、真珠装身具に健康増進効果を付与することができるものであり、しかもマグネット４は真珠の珠１の紐３を通す貫通孔２内に装着されているため、マグネット４が外部に露出することがなく、真珠の高級感のある外観を損なうことがないものである。
【００１０】
また本発明において、上記マグネット４は筒状に形成され、上記紐３は筒状のマグネット４内に挿通されていることを特徴とするものである。
【００１１】
マグネット４を筒状に形成することによって真珠の珠１の貫通孔２内に密着させた状態で強固に装着することができ、しかも筒状のマグネット４の内周を利用して紐３を通すことができるものである。
【００１２】
また本発明は、上記真珠の珠１の表面にＤＬＣ皮膜５が被覆されていることを特徴とするものである。
【００１３】
ＤＬＣ皮膜５は硬度が高く耐摩耗性に優れ、さらに耐食性に優れた皮膜であり、真珠の珠１をＤＬＣ皮膜５で被覆することによって、真珠の珠１の表面に傷が入ったり摩耗したりすることを防ぐことができると共に、汗等の作用で真珠の珠１の表面が変色するなど劣化することを防ぐことができるものである。
【００１４】
上記のＤＬＣ皮膜５の膜厚は５０〜１５０ｎｍであることが好ましい。
【００１５】
ＤＬＣ皮膜５の厚みをこの範囲に設定することによって、ＤＬＣ皮膜５に光の干渉作用で真珠の珠１に色が付いて見えるようなことがないと共に、ＤＬＣ皮膜５が剥がれたりするようなことなく、ＤＬＣ皮膜５による上記の保護効果を高く得ることができるものである。
【発明の効果】
【００１６】
本発明によれば、真珠の珠１の紐３を通す貫通孔２内に装着したマグネット４の磁気によって、真珠装身具に健康増進効果を付与することができるものであり、しかもマグネット４が外観として露出することがなく、真珠の高級感のある外観を損なうことがないものである。
【図面の簡単な説明】
【００１７】
【図１】（ａ）は真珠装身具の正面図、（ｂ）は真珠装身具の一部の拡大した断面図である。
【図２】（ａ）（ｂ）はそれぞれ真珠の珠の拡大した断面図である。
【図３】マグネットの拡大斜視図である。
【図４】真珠の珠の一部の拡大断面図である。
【発明を実施するための形態】
【００１８】
以下、本発明の実施の形態を説明する。
【００１９】
真珠の珠１としては、本真珠、天然真珠、養殖真珠など任意のものを用いることができるものであり、人工真珠であってもよい。その形状も真球状のものの他、変形した形状のものであってもよい。
【００２０】
そして真珠の珠１にその直径方向で孔加工をして貫通孔２を設け、この貫通孔２に紐３を通して、多数の真珠の珠１を数珠つなぎに連結してリング状にすることによって、図１（ａ）に示すような、ネックレス、ブレスレット、アンクレット、数珠、時計バンドなどとして使用される真珠装身具Ａを作製することができる。紐３としては任意のものを用いることができるが、例えば糸や細い鎖などを使用することができる。
【００２１】
本発明は、このように真珠の珠１を数珠つなぎにした真珠装身具Ａにおいて、真珠の珠１にマグネット４を装着したものである。マグネット４としては、図３に示すように円筒形などの筒状に形成したものを用いることができる。そして真珠の珠１には紐３を通すための円形断面の貫通孔２がドリル加工などで穿設されており、図２（ａ）に示すようにマグネット４を貫通孔２に差し込んで固定することによって、真珠の珠１にマグネット４を装着するようにしてある。貫通孔２へのマグネット４の固定は接着によって行なうようにしても良いが、貫通孔２にマグネット４を圧入することによってマグネット４を真珠の珠１に固定することが可能である。このように貫通孔２内に筒状のマグネット４を装着すると、マグネット４の内周の筒孔４ａの両端の開口部は貫通孔２の両端で開口することになる。従ってこの筒状のマグネット４の筒孔４ａに図１（ｂ）に示すように紐３を通すことによって、真珠の珠１を数珠つなぎに連結することができるものである。
【００２２】
ここで、マグネット４の寸法は、真珠の珠１の大きさや、紐３の太さなどに応じて異なるが、例えば外径を２．１〜３．１ｍｍ、内径を１ｍｍ程度に形成することができる。またマグネット４の長さは、真珠の珠１の外径にほぼ等しい寸法に形成する他に、真珠の珠の１の外径より短い寸法に形成するようにしてもよい。そしてマグネット４を装着する真珠の珠１に設けられる貫通孔２の内径は、マグネット４の外径とほぼ同じ寸法に形成されるものであり、図２（ａ）のように貫通孔２にマグネット４を差し込むことによって、図１（ｂ）に示すように貫通孔２の内周面にマグネット４の外周面が密着した状態で、マグネット４を貫通孔２内に固定することができるものである。
【００２３】
マグネット４はニオブ、フェライト、ネオジウムなどの磁性金属で作製されるものであり、健康増進作用に必要な３０〜２００ｍテスラの範囲で着磁するようにしてある。マグネット４のＮＳ極は長手方向ではなく、図３に示すように、直径方向の半分がＮ極、直径方向の他の半分がＳ極となるように、直径方向でＮＳ極に分極されるようにしてある。またマグネット４は永久磁石として着磁されたものを真珠の珠１の貫通孔２に差し込んで装着するのが一般的であるが、磁性金属で筒状に形成したものを真珠の珠１の貫通孔２に差し込んで装着した後に着磁させるようにしてもよく、マグネット４は真珠の珠１の貫通孔２に装着した状態で永久磁石として作用するものであればよい。
【００２４】
マグネット４は、真珠の珠１を数珠つなぎにして形成される真珠装身具Ａにおいて、総ての真珠の珠１の貫通孔２に装着するようにしてもよく、あるいは一部の真珠の珠１の貫通孔２に装着し、他の真珠の珠１には装着しないようにしてもよい。一部の真珠の珠１にマグネット４を装着し、他の真珠の珠１にはマグネット４を装着しない場合、図１（ｂ）に示すように紐３は、マグネット４を装着しない真珠の珠１には貫通孔２に、マグネット４を装着した真珠の珠１には貫通孔２内のマグネット４の筒孔４ａにそれぞれ通して、真珠の珠１を数珠つなぎに連結するものである。ここで、一部の真珠の珠１にマグネット４を装着する場合、マグネット４を装着した真珠の珠１の配置は任意に設定できる。例えば、マグネット４を装着した真珠の珠１を等間隔で配置したり、ランダムに配置したりすることができる。また真珠装身具Ａがネックレスの場合であれば、首の後ろの付け根に位置する箇所にマグネット４を装着した真珠の珠１を配置するということもできる。
【００２５】
上記のようにマグネット４を装着した真珠の珠１とマグネット４を装着していない真珠の珠１とを用いて真珠装身具Ａを形成する場合、図２（ａ）のようにマグネット４を装着する真珠の珠１の貫通孔２は、内径をマグネット４の直径とほぼ同じ寸法に大きく形成されるが、マグネット４を装着しない真珠の珠１の貫通孔２には紐３が通されるだけであるので、大きな内径で形成する必要はない。具体的には図２（ｂ）に示すように、マグネット４を装着しない真珠の珠１の貫通孔２の内径は、マグネット４の内径（筒孔４ａの直径）とほぼ等しくなるように形成するのがよい。
【００２６】
また、真珠の珠１のみを連ねて真珠装身具Ａを形成する他に、隣り合う真珠の珠１の間に真珠の珠１以外のもの、例えば貴金属や宝石などを挟み込むようにしてもよい。ここで上記したように真珠の珠１の貫通孔２に装着したマグネット４の長さが真珠の珠１の直径より短いものを用いるときは、貫通孔２の両端部内にはマグネット４が存在しない空所が形成されることになるが、隣り合う真珠の珠１の間に挟まれる貴金属や宝石などが、真珠の珠１より小さい場合や、ラグビーボールのように端部の径が小さい形状の場合、この貴金属や宝石などの一部を貫通孔２の両端部の空所内に入り込ませるようにした状態で、真珠の珠１と貴金属や宝石などを連結することができるものである。
【００２７】
真珠装身具Ａを形成する総ての真珠の珠１の表面には、図４に示すようにＤＬＣ（ダイヤモンド・ライク・カーボン）皮膜５が被覆してある。ＤＬＣ皮膜５は炭素からなる非晶質の硬質膜であり、硬度が高く、耐摩耗性、耐食性に優れた皮膜である。従って真珠の珠１をＤＬＣ皮膜５で保護することができるものである。例えば、真珠の珠１が傷付くことを硬度が高く耐摩耗性に優れたＤＬＣ皮膜５で防ぐことができるものであり、真珠の珠１同士が擦れ合っても表面に摩滅等が生じることを防ぐことができるものである。また真珠装身具Ａを身に着ける際に真珠の珠１に汗が付着すると、汗の酸性成分やアルカリ性成分が真珠の珠１に作用して腐食し、変色などが発生するおそれがあるが、耐食性に優れたＤＬＣ皮膜５で真珠の珠１を保護して、真珠の珠１に腐食が生じることを防ぐことができるものであり、また真珠装身具Ａの手入れも容易になるものである。さらに真珠の珠１の表面をＤＬＣ皮膜５で覆うと光沢が出るので、真珠の珠１をより美麗に見せることもできる。
【００２８】
真珠の珠１の表面にＤＬＣ皮膜５を形成するにあたっては、プラズマＣＶＤや熱ＣＶＤ等のＣＶＤ法、真空蒸着、イオンプレーティング、スパッタ等のＰＶＤ法など、公知の任意の方法で行なうことができる。ここで、多数個の真珠の珠１に均一にＤＬＣ皮膜５を生産効率良く形成するために、特許第５５０３３４０号公報で提供されている方法を採用するのが好ましい。
【００２９】
すなわち、銅線などの導電線を真珠の珠１の貫通孔２に通して、隣り合う真珠の珠１が接触しない状態で、多数の真珠の珠１を導電線で数珠つなぎに連結する。そしてこの多数の真珠の珠１を導電線で数珠つなぎにしたものを、例えばプラズマイオン注入装置のチャンバー内に吊り下げた状態で収容し、チャンバー内を真空引きすると共にチャンバー内にメタンガス、アセチレンガス、プロパンガス等の炭化水素系のガスを導入する。この状態で導電線に高周波電力を印加することによって、真珠の珠１の周囲にプラズマを発生させ、その後に高電圧パルス（負の高圧パルス）を印加してプラズマ中のイオンを真珠の珠１に誘引させる。このように真珠の珠１にイオンが誘引されると、そのイオンに含まれる炭素原子が真珠の珠１にその表面から所定の深さまで注入され、ＤＬＣ皮膜５が真珠の珠の１表面に形成される。このようにして、一回の操作で、数珠つなぎにした多数個の真珠の珠１にＤＬＣ皮膜５を形成することができるものであり、また、隣り合う真珠の珠１は接触しない状態で数珠つなぎになっているので、個々の真珠の珠１の全表面に均一にＤＬＣ皮膜５を形成することができるものである。真珠の珠１にＤＬＣ皮膜５を形成するにあたっては、真珠の珠１の貫通孔２にマグネット４を装着していない状態で行なってもよく、真珠の珠１の貫通孔２にマグネット４を装着した状態で行なってもよい。
【００３０】
真珠の珠１の表面に形成するＤＬＣ皮膜５の厚みは、５０〜１５０ｎｍの範囲が好ましく、５０〜１００ｎｍの範囲がより好ましい。ＤＬＣ皮膜５の膜厚がこの範囲未満であると、膜厚が薄すぎて真珠の珠１を保護する効果を十分に得ることが難しい。またＤＬＣ皮膜５の膜厚がこの範囲を超えて厚いと、光の干渉作用で膜５に色が着くことになり、真珠の珠１の美麗な外観が損なわれるおそれがある。さらにＤＬＣ皮膜５の膜厚が厚いと真珠の珠１の表面に対する密着性が低下して剥がれたり、ＤＬＣ皮膜５にクラックが入ったりするおそれがある。このため、ＤＬＣ皮膜５の厚みは上記の範囲が好ましい。
【００３１】
上記のようにして形成される本発明の真珠装身具Ａを身体の首、手首、足首などに着けると、真珠の珠１の貫通孔２内に装着したマグネット４から出る磁力の磁界作用で、従来周知の磁気ネックレスや磁気ブレスレットなどと同様に、身体の血行を促進してこりや痛みを解消するなど健康を増進することができるものである。そしてマグネット４は真珠の珠１の貫通孔２内に隠れて外部に露出しないために、高級な真珠装身具Ａの外観をグネット４で損ねるようなことはないものである。
【００３２】
尚、上記の実施の形態では、マグネット４を筒状に形成するようにしたが、マグネット４はこのような形態のものに限られるものではない。例えば薄片状など任意の形態に形成することも可能である。
【符号の説明】
【００３３】
１  真珠の珠
２  貫通孔
３  紐
４  マグネット
４ａ  筒孔
５  ＤＬＣ皮膜
【図１】
2018061547.tif 000003
【図２】
2018061547.tif 000004
【図３】
2018061547.tif 000005
【図４】
2018061547.tif 000006